(57)【要約】【課題】目標出力装置により出力される色を、粒状性と階調性を制御して色材総量制限が設定された実出力装置で再現する。【解決手段】係数設定部１６で墨の開始点を制御する制御係数を設定する。適正仮想面色信号群作成部２１では、設定された制御係数をもとに墨量ごとに適正総量制限値を設定する。この適正総量制限値の設定により  墨を必要とする限界の明度（墨の開始点）が移動し、粒状性と階調性が制御される。さらに、算出された墨量ごとの適正総量制限値を満たす下側外郭面色信号を複数作成する。墨量算出モデル作成部２２は、下側外郭面色信号から対応する装置独立色空間の独立色信号を算出し、その独立色信号と、その独立色信号が属する下側外郭面の墨量とから適正墨量を算出するモデルを作成する。そのモデルを用い、適正墨量算出部２３は、装置独立色空間の変換対象独立色信号から適正墨量を算出する。【選択図】図２
2010263370.tif 000002
【特許請求の範囲】
【請求項１】
墨を含むＭ（Ｍ≧４）色の色材を用いて画像を出力する実出力装置で色再現を行う際に墨の使用を開始する開始点を制御する制御係数を設定する制御係数設定手段と、前記制限値設定手段で設定された制御係数および前記実出力装置で使用する色材総量の制限値をもとに墨量ごとに適正総量制限値を算出して装置独立色空間の変換対象独立色信号から適正墨量を決定する適正墨量決定手段を有することを特徴とする色変換装置。
【請求項２】
前記適正墨量決定手段は、前記制御係数および前記色材総量の制限値をもとに墨量ごとに算出された前記適正総量制限値を満たす下側外郭面色信号を作成する適正仮想面色信号群作成手段と、該下側外郭面色信号から対応する装置独立色空間における独立色信号を算出して該独立色信号と該独立色信号が属する下側外郭面の墨量とから適正墨量を算出するためのモデルを作成する墨量算出モデル作成手段と、前記墨量算出モデル作成手段で作成したモデルを使用して前記変換対象独立色信号から前記適正墨量を算出する適正墨量算出手段を有することを特徴とする請求項１に記載の色変換装置。
【請求項３】
さらに、墨を含むＮ（Ｎ≧４）色の色材を使用する目標出力装置におけるＮ次元色空間の目標装置色信号から装置独立色空間の前記変換対象独立色信号に変換する順変換手段と、前記適正墨量決定手段で決定した適正墨量と前記目標装置色信号のうちの墨量から最適墨量を算出する最適墨量算出手段と、前記最適墨量算出手段で算出した最適墨量と前記変換対象独立色信号から前記実出力装置が使用する色材の色を成分とするＭ次元の出力色信号のうちの墨以外の色成分を算出する逆変換手段を有し、前記逆変換手段で算出された色成分と前記最適墨量により出力色信号とすることを特徴とする請求項１または請求項２に記載の色変換装置。
【請求項４】
墨を含むＮ（Ｎ≧４）色の色材を使用する目標出力装置におけるＮ次元色空間の目標装置色信号から装置独立色空間の変換対象独立色信号に変換する順変換手段と、前記順変換手段で変換された前記変換対象独立色信号から適正墨量を決定する適正墨量決定手段と、前記適正墨量決定手段で決定した適正墨量と前記目標装置色信号のうちの墨量から最適墨量を算出する最適墨量算出手段と、前記最適墨量算出手段で算出した最適墨量と前記変換対象独立色信号から実際に出力する実出力装置が使用する墨を含むＭ（Ｍ≧４）色の色材の色を成分とするＭ次元の出力色信号のうちの墨以外の色成分を算出する逆変換手段を有し、前記逆変換手段で算出された色成分と前記最適墨量により出力色信号とし、前記適正墨量決定手段は、適正墨量を算出するためのモデルを用いて前記変換対象独立色信号から適正墨量を決定するものであって、前記モデルは、前記実出力装置で色再現を行う際に墨の使用を開始する開始点を制御する制御係数および前記実出力装置で使用する色材総量の制限値をもとに墨量ごとに適正総量制限値を算出し、算出された適正総量制限値を満たす下側外郭面色信号を作成し、該下側外郭面色信号から対応する装置独立色空間における独立色信号を算出して、該独立色信号と該独立色信号が属する下側外郭面の墨量とから作成されたものであることを特徴とする色変換装置。
【請求項５】
前記制御係数は、前記実出力装置で使用する色材総量の制限値を用いた場合の最小墨量の開始点と、前記実出力装置で使用する色材総量の制限値から墨の上限値を差し引いた値を墨以外の色材総量の制限値として用いた場合の最小墨量の開始点との範囲で開始点を制御するものであることを特徴とする請求項１から請求項４のいずれか１項に記載の色変換装置。
【請求項６】
墨量ごとの前記適正総量制限値は、墨量の上限値から当該墨量を減じた値を前記制御係数に従って減らした値を、前記実出力装置で使用する色材総量の制限値から差し引いて求めることを特徴とする請求項５に記載の色変換装置。
【請求項７】
墨量ごとの前記適正総量制限値は、さらに、墨量が上限値の場合に最小値で墨量が減少するにしたがって単調増加し墨量が０％の場合に最大値となる値をさらに差し引いた値とすることを特徴とする請求項６に記載の色変換装置。
【請求項８】
前記適正総量制限値は、さらに、前記開始点から墨量の上限値へ向かう墨量の増加の線形度合いを予め設定した係数に従って変更し、変更した墨量を墨量の上限値から減じた値を前記制御係数に従って減らした値を、前記実出力装置で使用する色材総量の制限値から差し引いて求めることを特徴とする請求項６に記載の色変換装置。
【請求項９】
前記適正総量制限値は、前記実出力装置における無彩色軸を示す装置独立色空間の無彩色基準線について制御係数および前記実出力装置で使用する色材総量の制限値をもとにした値を墨量ごとに算出するとともに、前記無彩色基準線上の墨量ごとの適正総量制限値を基準として対応する墨量における色域の外郭に近づくにしたがって前記実出力装置で使用する色材総量の制限値に近づくように無彩色基準線以外の色について墨量ごとの値を算出することを特徴とする請求項１から請求項８のいずれか１項に記載の色変換装置。
【請求項１０】
前記適正総量制限値は、前記無彩色基準線の墨量が最大値の場合の値として前記実出力装置で使用する色材総量の制限値より小さい値を設定することを特徴とする請求項９に記載の色変換装置。
【請求項１１】
コンピュータに、請求項１から請求項１０のいずれか１項に記載の色変換装置の機能を実行させるものであることを特徴とする色変換プログラム。
【発明の詳細な説明】
【技術分野】
【０００１】
本発明は、色変換装置及び色変換プログラムに関するものである。
【背景技術】
【０００２】
ＣＭＹＫなどの墨を含むカラー出力装置によって異なるカラー出力装置（目標出力装置）の色再現をシミュレートするための技術がある。この技術はインクシミュレーションと呼ばれ、例えば、印刷機の色再現をプリンタでシミュレートして安価にプルーフを実現するなどの用途に利用されている。また、印刷用画像のＫ（墨）版をプリンタ側でも保持するＫ版保持と呼ばれる技術により、色再現の質感やメリハリなども保持している。
【０００３】
しかしながら、一般的に目標出力装置と実際に出力を行う出力装置（実出力装置）の色再現特性は異なっているため、目標出力装置における墨版をそのまま実出力装置で使用して目標出力装置における色再現をシミュレートしようとすると、実出力装置における色再現範囲より狭い色再現範囲での出力となってしまう。また、シミュレーションに使用されるゼログラフィプリンタやインクジェットプリンタにおいては、使用する色材の総量に制限が設けられていることが多く、この色材総量制限が目標出力装置との色再現特性の差をより大きなものにしている。
【０００４】
このように、目標出力装置の墨版を保持して高精度なインクシミュレーションを実現するためには、出力装置における適切な墨量を決定するための技術が必要不可欠となる。このような技術の一つとして、特許文献１に記載されている方法がある。
【０００５】
この特許文献１に記載されている方法は、対象となる目標出力装置の装置依存色空間における色信号（以下、目標装置色信号）を、装置に独立な色空間の色信号（以下、変換対象独立色信号）に変換してから、この変換対象独立色信号を実際に出力する出力装置における色材総量制限を満たす最低限必要な墨量を算出する。この際に、装置に独立な色空間の色信号と最低限必要な墨量の対を算出することにより、与えられた変換対象独立色信号から最低限必要な墨量を算出するモデルを構築し、このモデルを使用することにより最低限必要な墨量を算出している。そして、この最低限必要な墨量と対象の目標装置色信号の墨量とから彩度に応じて適切な墨量を決定する。さらに、対象となる変換対象独立色信号と算出した適切な墨量とから、墨以外の出力装置色信号の色成分を算出し、適切な墨量とともに出力装置色信号としている。
【先行技術文献】
【特許文献】
【０００６】
【特許文献１】特開２００７−４３２５０号公報
【発明の概要】
【発明が解決しようとする課題】
【０００７】
本発明は、目標出力装置により出力される色を、粒状性と階調性を制御して色材総量制限が設定された実出力装置で再現するための色変換装置及び色変換プログラムを提供することを目的とするものである。
【課題を解決するための手段】
【０００８】
本願請求項１に記載の発明は、墨を含むＭ（Ｍ≧４）色の色材を用いて画像を出力する実出力装置で色再現を行う際に墨の使用を開始する開始点を制御する制御係数を設定する制御係数設定手段と、前記制限値設定手段で設定された制御係数および前記実出力装置で使用する色材総量の制限値をもとに墨量ごとに適正総量制限値を算出して装置独立色空間の変換対象独立色信号から適正墨量を決定する適正墨量決定手段を有することを特徴とする色変換装置である。
【０００９】
本願請求項２に記載の発明は、本願請求項１に記載の発明における前記適正墨量決定手段が、前記制御係数および前記色材総量の制限値をもとに墨量ごとに算出された前記適正総量制限値を満たす下側外郭面色信号を作成する適正仮想面色信号群作成手段と、該下側外郭面色信号から対応する装置独立色空間における独立色信号を算出して該独立色信号と該独立色信号が属する下側外郭面の墨量とから適正墨量を算出するためのモデルを作成する墨量算出モデル作成手段と、前記墨量算出モデル作成手段で作成したモデルを使用して前記変換対象独立色信号から前記適正墨量を算出する適正墨量算出手段を有することを特徴とする色変換装置である。
【００１０】
本願請求項３に記載の発明は、本願請求項１または請求項２に記載の発明の構成に、さらに、墨を含むＮ（Ｎ≧４）色の色材を使用する目標出力装置におけるＮ次元色空間の目標装置色信号から装置独立色空間の前記変換対象独立色信号に変換する順変換手段と、前記適正墨量決定手段で決定した適正墨量と前記目標装置色信号のうちの墨量から最適墨量を算出する最適墨量算出手段と、前記最適墨量算出手段で算出した最適墨量と前記変換対象独立色信号から前記実出力装置が使用する色材の色を成分とするＭ次元の出力色信号のうちの墨以外の色成分を算出する逆変換手段を有し、前記逆変換手段で算出された色成分と前記最適墨量により出力色信号とすることを特徴とする色変換装置である。
【００１１】
本願請求項４に記載の発明は、墨を含むＮ（Ｎ≧４）色の色材を使用する目標出力装置におけるＮ次元色空間の目標装置色信号から装置独立色空間の変換対象独立色信号に変換する順変換手段と、前記順変換手段で変換された前記変換対象独立色信号から適正墨量を決定する適正墨量決定手段と、前記適正墨量決定手段で決定した適正墨量と前記目標装置色信号のうちの墨量から最適墨量を算出する最適墨量算出手段と、前記最適墨量算出手段で算出した最適墨量と前記変換対象独立色信号から実際に出力する実出力装置が使用する墨を含むＭ（Ｍ≧４）色の色材の色を成分とするＭ次元の出力色信号のうちの墨以外の色成分を算出する逆変換手段を有し、前記逆変換手段で算出された色成分と前記最適墨量により出力色信号とし、前記適正墨量決定手段は、適正墨量を算出するためのモデルを用いて前記変換対象独立色信号から適正墨量を決定するものであって、前記モデルは、前記実出力装置で色再現を行う際に墨の使用を開始する開始点を制御する制御係数および前記実出力装置で使用する色材総量の制限値をもとに墨量ごとに適正総量制限値を算出し、算出された適正総量制限値を満たす下側外郭面色信号を作成し、該下側外郭面色信号から対応する装置独立色空間における独立色信号を算出して、該独立色信号と該独立色信号が属する下側外郭面の墨量とから作成されたものであることを特徴とする色変換装置である。
【００１２】
本願請求項５に記載の発明は、本願請求項１から請求項４のいずれか１項に記載の発明における前記制御係数は、前記実出力装置で使用する色材総量の制限値を用いた場合の最小墨量の開始点と、前記実出力装置で使用する色材総量の制限値から墨の上限値を差し引いた値を墨以外の色材総量の制限値として用いた場合の最小墨量の開始点との範囲で開始点を制御するものであることを特徴とする色変換装置である。
【００１３】
本願請求項６に記載の発明は、本願請求項５に記載の発明における墨量ごとの前記適正総量制限値は、墨量の上限値から当該墨量を減じた値を前記制御係数に従って減らした値を、前記実出力装置で使用する色材総量の制限値から差し引いて求めることを特徴とする色変換装置である。
【００１４】
本願請求項７に記載の発明は、本願請求項６に記載の発明における墨量ごとの前記適正総量制限値は、さらに、墨量が上限値の場合に最小値で墨量が減少するにしたがって単調増加し墨量が０％の場合に最大値となる値をさらに差し引いた値とすることを特徴とする色変換装置である。
【００１５】
本願請求項８に記載の発明は、本願請求項６に記載の発明における前記適正総量制限値は、さらに、前記開始点から墨量の上限値へ向かう墨量の増加の線形度合いを予め設定した係数に従って変更し、変更した墨量を墨量の上限値から減じた値を前記制御係数に従って減らした値を、前記実出力装置で使用する色材総量の制限値から差し引いて求めることを特徴とする色変換装置である。
【００１６】
本願請求項９に記載の発明は、本願請求項１から請求項８のいずれか１項に記載の発明における前記適正総量制限値は、前記実出力装置における無彩色軸を示す装置独立色空間の無彩色基準線について制御係数および前記実出力装置で使用する色材総量の制限値をもとにした値を墨量ごとに算出するとともに、前記無彩色基準線上の墨量ごとの適正総量制限値を基準として対応する墨量における色域の外郭に近づくにしたがって前記実出力装置で使用する色材総量の制限値に近づくように無彩色基準線以外の色について墨量ごとの値を算出することを特徴とする色変換装置である。
【００１７】
本願請求項１０に記載の発明は、本願請求項９に記載の発明における前記適正総量制限値は、前記無彩色基準線の墨量が最大値の場合の値として前記実出力装置で使用する色材総量の制限値より小さい値を設定することを特徴とする色変換装置である。
【００１８】
本願請求項１１に記載の発明は、コンピュータに、請求項１から請求項１０のいずれか１項に記載の色変換装置の機能を実行させるものであることを特徴とする色変換プログラム。
【発明の効果】
【００１９】
本願請求項１に記載の発明によれば、粒状性と階調性を制御した変換画像が得られる適正墨量を算出することができるという効果がある。
【００２０】
本願請求項２に記載の発明によれば、与えられた変換対象独立色信号から、本構成を有しない場合に比べて高精度に、粒状性と階調性を制御した適正墨量を算出することができる。
【００２１】
本願請求項３に記載の発明によれば、粒状性と階調性を制御した変換画像が得られる出力色信号を得ることができる。
【００２２】
本願請求項４に記載の発明によれば、粒状性と階調性を制御した変換画像が得られる出力色信号を、本構成を有しない場合に比べて簡単な構成で得ることができる。
【００２３】
本願請求項５に記載の発明によれば、実出力装置で使用する色材総量の制限値を用いた粒状性を重視した変換画像と、実出力装置で使用する色材総量の制限値から墨の上限値を差し引いた値を墨以外の色材総量の制限値として用いた階調性を重視した変換画像との範囲で、粒状性と階調性を制御することができる。
【００２４】
本願請求項６に記載の発明によれば、粒状性と階調性の制御を適正総量制限値の制御によって行うことができる。
【００２５】
本願請求項７に記載の発明によれば、本願請求項６に記載の発明に比べてさらに階調性を改善することができる。
【００２６】
本願請求項８に記載の発明によれば、本願請求項６に記載の発明に比べてさらに粒状性を改善することができる。
【００２７】
本願請求項９に記載の発明によれば、無彩色基準線における粒状性と階調性の制御とともに、色再現域の有効利用を図ることができる。
【００２８】
本願請求項１０に記載の発明によれば、本構成を有しない場合に比べて、少なくとも無彩色における光沢感の発生を抑えることができる。
【００２９】
本願請求項１１に記載の発明によれば、請求項１から請求項１０のいずれか１項に記載の発明の効果を得ることができる。
【図面の簡単な説明】
【００３０】
【図１】本発明の実施の一形態を示す構成図である。
【図２】適正墨量決定部の一例を示す構成図である。
【図３】装置独立色空間における色材総量制限値を一律に課した場合のＣＭＹＫ出力装置の色域外郭及び下側外郭面の一例の説明図である。
【図４】目標出力装置のプロセスブラックの階調と色材総量制限値を一律に課した場合の実出力装置における各色成分のカバレッジとの関係の一例を示すグラフである。
【図５】墨量に応じた適正総量制限値と下側外郭面の一例の説明図である。
【図６】目標出力装置のプロセスブラックの階調と、墨量に応じた適正墨量制限値を設定した場合の実出力装置における各色成分のカバレッジとの関係の一例を示すグラフである。
【図７】目標出力装置のプロセスブラックの階調と墨の開始点を制御した場合の実出力装置における各色成分のカバレッジとの関係の一例を示すグラフである。
【図８】目標出力装置のプロセスブラックの階調と墨の開始点を制御した場合の実出力装置における各色成分のカバレッジとの関係の別の例を示すグラフである。
【図９】目標出力装置のプロセスブラックの階調とガンマ係数を用いた場合の実出力装置における各色成分のカバレッジとの関係の一例を示すグラフである。
【図１０】目標出力装置のプロセスブラックの階調と各係数を変更した場合の実出力装置における墨量の関係の一例を示すグラフである。
【図１１】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００３１】
まず、本発明の実施の形態の理解を容易にするために、本発明の実施の形態が適用される技術について説明する。上述したＫ（墨）版保存を行うためには、実際に出力する出力装置（実出力装置）で再現される色について最低限必要な墨量を算出しておく必要がある。この最低限必要な墨量を下回る墨量を保存して色再現を行うことは、画像の劣化や装置の障害を引き起こす場合がある。もちろん、Ｋ版保存以外でも、各種の色変換において最低限必要な墨量の算出が行われている。
【００３２】
装置独立色空間の色信号から最低限必要な墨量を算出する方法として、いくつかの装置独立色空間の色信号と該色信号に対応する最低限必要な墨量の対を用いて装置独立色空間の色信号から最低限必要な墨量を算出するモデルを構築し、このモデルを使用して、与えられた装置独立色空間の色信号から最低限必要な墨量を算出する方法がある。ここで、装置独立色空間の色信号と最低限必要な墨量の対は、墨以外のいずれかの色材が上限値である出力色信号か、もしくは、実出力装置における色材総量の制限値（以下、色材総量制限値と呼ぶ）と等しい出力色信号に相当する装置独立色空間の色信号と、その装置独立色空間の色信号に対応する墨量とにより作成する。この対を作成した装置独立色空間の色信号は、墨を固定した場合の色再現域の外郭のうち、各色相において最大彩度色の明度以下の明度の色で構成される外郭であり、以後、この外郭を下側外郭面と呼ぶことにする。
【００３３】
図３は、装置独立色空間における色材総量制限値を一律に課した場合のＣＭＹＫ出力装置の色域外郭及び下側外郭面の一例の説明図である。図３においては、墨量が０％の場合の色域外郭と、墨量が２２％，４０％，６１％，８０％の場合の下側外郭面を実線で示している。また、目標出力装置におけるプロセスブラックの階調に相当する装置独立色空間の色信号を想定した無彩色基準線を破線で表している。この破線上にある黒丸は、墨量ごとの下側外郭面との交点である。この黒丸の色におけるＣＭＹＫの値の例は、色材総量制限値を１６０％とした場合の例である。
【００３４】
図４は、目標出力装置のプロセスブラックの階調と色材総量制限値を一律に課した場合の実出力装置における各色成分のカバレッジとの関係の一例を示すグラフである。一例として目標出力装置において墨を用いないプロセスブラックを示す色信号が与えられた場合、図３において破線で示した無彩色基準線上の色となる。一例として、この無彩色基準線に沿って高明度側から低明度側へ色を変化させる。すると、墨量を保存することからＫ＝０％の色再現域ではＣ、Ｍ、Ｙは単調に増加するが、ＣＭＹの合計が色材総量制限値を超えると墨量を増加させざるを得ず、それに伴ってＣＭＹは減少に転じる。図４には、このようなＣＭＹとＫ（墨量）の挙動の概要を示している。ＣＭＹの減少は、図３に示した黒丸の点におけるＣＭＹの値でも示されている。なお、図４では目標出力装置のプロセスブラックの階調を装置独立色空間に変換して得られる色信号を実出力装置で再現する場合のＣＭＹの値及びＫの値を示しているが、厳密に言えば目標出力装置のプロセスブラックの階調と実出力装置のプロセスブラックの階調とは一致せず、また、実出力装置のＣ，Ｍ，Ｙが等量となるとは限らない。この図４及び以下のグラフにおいては、説明の都合上、黒丸を再現する実出力装置の色信号のＣ，Ｍ，Ｙは等量となるものとしている。
【００３５】
このように、実出力装置に設定されている色材総量制限値を超えるとＣＭＹの増加の傾向が反転して減少する。このような増加減少の変化によって階調性が劣化する。そのため、少なくともＣＭＹが減少に転じないように、例えば墨量に応じて総量制限値（適正総量制限値）を設定する方法がある。ここでは、無彩色基準線において墨量に応じて総量制限値（適正総量制限値）を設定する例を示す。
【００３６】
図５は、墨量に応じた適正総量制限値と下側外郭面の一例の説明図である。図５においても、墨量が０％の場合の色域外郭と、墨量が２２％，４０％，６１％，８０％の場合の下側外郭面を実線で示している。また、目標出力装置におけるプロセスブラックの階調に相当する装置独立色空間の色信号を想定した無彩色基準線を破線で表している。この破線上にある黒丸は、墨量ごとの下側外郭面との交点である。ここでは色材総量制限値を１６０％とした場合の例を示している。
【００３７】
図５に示した例では、無彩色基準線における適正総量制限値ＧＣＴをＧＬ−（Ｋｍａｘ−Ｋ）としている。ここでＧＬは実出力装置に設定されている色材総量制限値、Ｋｍａｘは墨の上限値であり、ここではＫｍａｘ＝８０％としている。また、下側外郭面上で実出力装置に設定されている一律の色材総量制限値で出力される境界部分（図５中では黒四角で示している）での適正総量制限値はＧＬ（実出力装置に設定されている一律の色材総量の制限値）としている。そして、黒丸から黒四角までの色に対しては単調に変化するように適正総量制限値を決定する。
【００３８】
図６は、目標出力装置のプロセスブラックの階調と、墨量に応じた適正墨量制限値を設定した場合の実出力装置における各色成分のカバレッジとの関係の一例を示すグラフである。図６に示したグラフでは、ＣＭＹＫのいずれも減少に転じることはなく、階調性の劣化は改善される。それに反して、図４の場合と比べて墨が使用される開始点が、カバレッジが小さい、すなわち明度が高い側へ移動する。そのため、図４における墨の開始点より明度が高い色でも、目立ちやすい墨が使用されることになり、粒状性は悪化する。
【００３９】
このように、実出力装置に設定されている色材総量制限値をそのまま用いた場合には、色材総量を制限した適正総量制限値を用いる場合に比べて、階調性は悪化するものの粒状性の面では優れている。逆に適正総量制限値を用いた場合には、色材総量制限値をそのまま用いる場合に比べて階調性は優れているが、粒状性は悪化する。以下に説明する本発明の実施の形態では、このように相反している粒状性と階調性を両立させ、あるいは利用者の目的や好みに応じて制御する構成を示す。
【００４０】
図１は、本発明の実施の一形態を示す構成図である。図中、１１は順変換部、１２は色再現域写像部、１３は適正墨量決定部、１４は最適墨量算出部、１５は逆変換部、１６は係数設定部である。以下の説明では、目標出力装置をＣＭＹＫ印刷機とし、実出力装置をＣＭＹＫプリンタとした上で、目標装置色信号（ＣＭＹＫ色信号）を出力色信号（Ｃ’Ｍ’Ｙ’Ｋ’色信号）に変換するものとして説明する。また、適正総量制限値により制限されない限りは目標装置色信号の墨の値（以下、墨量）を保持して、目標装置色信号を出力色信号に変換するものとする。なお、処理の途中で使用する装置独立色空間として、ここではＣＩＥＬＡＢ色空間を使用している。この例に限らず、目標出力装置が使用する色材の色および目標装置色信号の色成分は墨を含むＮ（Ｎ≧４）色でよく、また、実出力装置が使用する色材の色および出力色信号の色成分は墨を含むＭ（Ｍ≧４）色でよい。また、装置独立色空間もＣＩＥＬＵＶなど、装置に依存しない他の色空間を用いてもよい。
【００４１】
順変換部１１は、目標装置色信号から装置独立色空間の色信号に変換する。ここではＣＭＹＫ色信号からＬ* ａ* ｂ* 色信号に変換する。この変換方法としては、マトリクス変換やニューラルネットワークなどによるモデルを利用した変換などにより行えばよい。また、例えば特開平１０−２６２１５７号公報に記載されている回帰モデルを利用してもよい。
【００４２】
色再現域写像部１２は、順変換部１１で変換された装置独立色空間の色信号（Ｌ* ａ* ｂ* 色信号）を、実出力装置の色再現域（Ｃｏｌｏｒ  Ｇａｍｕｔ）の色信号（Ｌ*'ａ*'ｂ*'色信号）に写像する。この写像方法としては、周知の種々の方法を用いればよい。写像したＬ*'ａ*'ｂ*'色信号を、ここでは変換対象独立色信号とする。なお、順変換部１１で変換された装置独立色空間の色信号が実出力装置の色再現域の色信号であれば、この色再現域写像部１２を設けなくてもよく、その場合には順変換部１１で変換された装置独立色空間の色信号を変換対象独立色信号とする。
【００４３】
適正墨量決定部１３は、係数設定部１６で設定された制御係数および実出力装置における色材総量制限値をもとに墨量ごとに適正総量制限値を算出して、その墨量ごとの適正総量制限値をもとに装置独立色空間の変換対象独立色信号（Ｌ*'ａ*'ｂ*'色信号）から適正墨量（Ｋｏｐｔ）を決定する。この適正墨量決定部１３の詳細については後述する。
【００４４】
最適墨量算出部１４は、適正墨量決定部１３で決定した適正墨量（Ｋｏｐｔ）と目標装置色信号（ＣＭＹＫ色信号）のうちの墨量（Ｋ）から、最適墨量（Ｋ’）を算出する。算出方法は、例えば適正墨量（Ｋｏｐｔ）と目標装置色信号の墨量（Ｋ）とから、彩度に応じて墨版保持の度合いを制御し、最適墨量（Ｋ’）を算出すればよい。この最適墨量算出部１４には、例えば特開２００４−１１２２６９号公報に記載されている技術を適用してもよい。なお、この最適墨量算出部１４を省略して構成してもよく、その場合は適正墨量決定部１３で算出した適正墨量（Ｋｏｐｔ）を最適墨量（Ｋ’）として出力すればよい。
【００４５】
逆変換部１５は、最適墨量算出部１４で算出した最適墨量（Ｋ’）と変換対象独立色信号（Ｌ*'ａ*'ｂ*'色信号）から、実出力装置が使用する色材の色を成分とするＭ次元の出力色信号（Ｃ’Ｍ’Ｙ’Ｋ’色信号）のうちの墨以外の色成分（Ｃ’，Ｍ’，Ｙ’）を算出する。この逆変換部１５で算出された色成分（Ｃ’，Ｍ’，Ｙ’）と最適墨量（Ｋ’）により出力色信号（Ｃ’Ｍ’Ｙ’Ｋ’色信号）として出力する。
【００４６】
係数設定部１６は、実出力装置で色再現を行う際に墨の使用を開始する開始点を制御する制御係数を設定する。設定する制御係数の一つとしては、図４に示した墨量の変化と図６に示した墨量の変化との範囲で開始点を制御する。すなわち、実出力装置に設定されている色材総量制限値をそのまま用いた場合の最小墨量の開始点と、実出力装置に設定されている色材総量制限値から墨の上限値を差し引いた値を墨以外の色材総量の制限値として用いた場合の最小墨量の開始点との範囲で開始点を制御する。後述する例では、設定する制御係数によって適正総量制限値を制御し、その適正総量制限値の制御によって墨量の開始点を制御している。制御係数の設定方法としては、例えば、利用者が値を指定するほか、実出力装置の種類ごとまたは実出力装置が持つ出力モードごとに固有の制御係数を予め決めておき、利用する実出力装置の種類や出力モードに応じて制御係数を設定するようにしてもよい。もちろん、固定値として予め与えておいてもよい。また、後述するように制御係数としてこのほかの係数を設定してもよい。さらに、制御係数以外にも種々の設定を行ってもよく、例えば実出力装置の色材総量制限値についても設定するように構成してもよい。この場合、色材総量制限値に応じて制御係数を変更するように設定してもよい。さらに後述のように、墨量の開始点から上限値へ向かう墨量の増加の線形度合いを示す係数を設定するように構成してもよい。
【００４７】
図２は、適正墨量決定部の一例を示す構成図である。図中、２１は適正仮想面色信号群作成部、２２は墨量算出モデル作成部、２３は適正墨量算出部である。図１に示している構成では、適正墨量決定部１３には係数設定部１６で設定された制御係数と、色再現域写像部１２から変換対象独立色信号（Ｌ*'ａ*'ｂ*'色信号）が与えられる。
【００４８】
適正仮想面色信号群作成部２１は、係数設定部１６で設定した制御係数及び実出力装置に設定されている色材総量制限値をもとに、墨量ごとに適正総量制限値を算出し、算出された適正総量制限値を満たす下側外郭面色信号を作成する。この下側外郭面色信号は実出力装置が使用する色材の色を色成分とする装置依存色空間における色信号である。例えばＣＭＹＫ色信号である。なお、下側外郭面は上述のように墨を固定した場合の色再現域の外郭のうち、各色相において最大彩度色の明度以下の明度の色で構成される外郭である。
【００４９】
墨量算出モデル作成部２２は、まず、適正仮想面色信号群作成部２１で作成された下側外郭面色信号（ＣＭＹＫ色信号）のそれぞれについて、対応する装置独立色空間における独立色信号（Ｌ* ａ* ｂ* 色信号）を算出する。そして、算出した独立色信号（Ｌ* ａ* ｂ* 色信号）とその独立色信号が属する下側外郭面の墨量（下側外郭面色信号のうちの墨成分（Ｋ））とから、適正墨量を算出するためのモデルを作成する。例えば、特開２００５−６４７７４号公報に記載されている方法を使用し、適正仮想面色信号群作成部２１で作成した下側外郭面色信号の群を対象としてモデルを作成すればよい。本発明はこの方法に限定されるものではなく、離散的に分布する装置独立色信号と対応する墨量とから、与えられた装置独立色空間の色信号に対応する墨量（Ｋ）が算出される方法であれば、どのような方法を用いてもよい。
【００５０】
適正墨量算出部２３は、墨量算出モデル作成部２２で作成したモデルを使用して、与えられた変換対象独立色信号（Ｌ*'ａ*'ｂ*'色信号）から適正墨量（Ｋｏｐｔ）を算出する。この適正墨量（Ｋｏｐｔ）は最適墨量算出部１４に渡され、この適正墨量（Ｋｏｐｔ）と目標装置色信号（ＣＭＹＫ色信号）のうちの墨量（Ｋ）とから最適墨量（Ｋ’）が算出される。
【００５１】
なお、適正仮想面色信号群作成部２１および墨量算出モデル作成部２２によってあらかじめモデルを作成しておけば、適正墨量算出部２３で適正墨量を算出する際には適正仮想面色信号群作成部２１および墨量算出モデル作成部２２を設けずに構成してもよい。
【００５２】
適正墨量決定部１３について、具体例を用いながらさらに説明する。なお、以下の具体例では、実出力装置の色材総量制限値をＴＬとし、係数設定部１６において設定された制御係数をＫＳとする。この例では、制御係数ＫＳは０≦ＫＳ≦１の値を取るものとする。ＫＳ＝０の場合に実出力装置に設定されている色材総量制限値をそのまま用いて粒状性を重視した色変換を行う。また、ＫＳ＝１の場合に実出力装置に設定されている色材総量制限値から墨の上限値を差し引いた値を墨以外の色材総量の制限値として用いて階調性を重視した色変換を行うものとする。
【００５３】
適正仮想面色信号群作成部２１は、まず係数設定部１６で設定した制御係数（ＫＳ）と実出力装置に設定されている色材総量制限値（ＴＬ）をもとに、装置独立色空間における無彩色基準線上の適正総量制限値（ＧＴＣ）を墨量（Ｋ）ごとに算出する。例えば、墨量の上限値をＫｍａｘとした場合、以下の式を用いて算出する。
ＧＴＣ（Ｋ）＝ＴＬ−ＫＳ×（Ｋｍａｘ−Ｋ）    …（１）
【００５４】
例えば、色材総量制限値（ＴＬ）を１６０％、Ｋｍａｘ＝８０％とすると、ＫＳ＝１の場合はＫ＝０％でＧＴＣ＝８０％となり、Ｋ＝ＫｍａｘでＧＴＣ＝１６０％となる。このＫＳ＝１の場合にはＧＴＣ（Ｋ）＝ＴＬ−Ｋｍａｘ＋Ｋとなり、色材総量制限値（ＴＬ）及び墨量の上限値（Ｋｍａｘ）が予め決められた値であることから、墨（Ｋ）以外の色材の総量の上限値が（ＴＬ−Ｋｍａｘ）となる。そのため、図６に示したように墨以外の色材量が増加から減少に転じるなどの傾向の変化がなく、階調性が良好となる無彩色基準線上の適正総量制限値（ＧＴＣ）が算出される。
【００５５】
一方、ＫＳ＝０の場合はＫ＝０％でＧＴＣ＝１６０％、Ｋ＝ＫｍａｘでもＧＴＣ＝１６０％となる。このＫＳ＝０の場合には、墨量によらず無彩色基準線上の適正総量制限値（ＧＴＣ）が色材総量制限値（ＴＬ）となる。そのため、ＫＳ＝１の場合に比べＫ＝０の場合の無彩色基準線上の適正総量制限値（ＧＴＣ）が高くなる。結果として墨量開始点が低明度側（目標出力装置のプロセスブラックの階調における高カバレッジ側）に移動するため、粒状性が良好となる無彩色基準線上の適正総量制限値（ＧＴＣ）が算出される。
【００５６】
適正総量制限値（ＧＴＣ）の算出には、目標出力装置の墨量をある値としたときの色信号を再現するために最低限必要な実出力装置の墨量をＫＢとすれば、以下の式を用いてもよい。
ＧＴＣ（Ｋ）＝ＴＬ−ＫＳ×（ＫＢ−Ｋ）    …（２）
墨量ＫＢは、例えば図４に示した実出力装置の色材総量制限値を考慮したモデルを予め作成しておき、そのモデルから求めればよい。
【００５７】
例えば、目標出力装置の墨量が０％の色信号を再現するために実出力装置で最低限必要な墨量ＫＢが６０％の場合、無彩色基準線での色材総量制限値（ＴＬ）からＫｍａｘを減じる必要はなく、６０を減じるだけでよい。例えば色材総量制限値（ＴＬ）を１６０％、墨量の上限値（Ｋｍａｘ）を８０％とすると、（１）式を用いた場合にはＫ＝０％に対応する無彩色基準線上の適正総量制限値（ＧＴＣ）は８０％である。これに対して（２）式を用いた場合には、Ｋ＝０％に対応する無彩色基準線上の適正総量制限値（ＧＴＣ）は１００％となり、その分、Ｋ＝０％での色再現範囲が広がることになる。このように（２）式を用いた場合には、無彩色基準線上の適正総量制限値（ＧＴＣ）が大きくなり、墨量が保存される範囲が広がることになる。
【００５８】
さらに、墨以外の色材の変化量が０にならず、墨が入り始めても墨以外の色材が増加するように、墨量が上限値の場合に最小値で、墨量が減少するにしたがって単調増加し墨量が０％の場合に最大値となる差分値を、適正総量制限値からさらに差し引いた値としてもよい。例えば（１）、（２）式を
ＧＴＣ（Ｋ）＝ＴＬ−ＫＳ×｛（Ｋｍａｘ−Ｋ）＋α（１−Ｋ／Ｋｍａｘ）β｝    …（３）
ＧＴＣ（Ｋ）＝ＴＬ−ＫＳ×｛（ＫＢ−Ｋ）＋α（１−Ｋ／Ｋｍａｘ）β｝    …（４）
としてもよい。ここで、α（１−Ｋ／Ｋｍａｘ）βが差分値であり、Ｋ＝０％の際にαだけ小さい適正総量制限値にするものである。このようにＫ＝Ｋｍａｘの際には０、Ｋ＝０％のときにはαだけ、適正総量制限値が小さくなるが、その間のＫに対してどのような変化をさせるかを指定するためのガンマ係数がβである。なお、係数α及びガンマ係数βは係数設定部１６において設定しておけばよい。
【００５９】
図７は、目標出力装置のプロセスブラックの階調と墨の開始点を制御した場合の実出力装置における各色成分のカバレッジとの関係の一例を示すグラフである。上述のように制御係数ＫＳを変化させることによって適正総量制限値を変化させており、これによって墨の開始点を制御している。例えば色材総量制限値ＴＬ＝１６０％であって（１）式または（３）式でα＝０として適正総量制限値ＧＴＣを求める場合、制御係数ＫＳ＝０であれば、図４に示したように墨量が制御され、墨の開始点は実出力装置におけるＣ、Ｍ、Ｙが５４％の点となる。この実出力装置において、制御係数ＫＳ＝１であれば、図６に示したように墨量が制御され、墨の開始点は実出力装置におけるＣ、Ｍ、Ｙが２７％の点となる。
【００６０】
さらに、制御係数ＫＳ＝０．５とした場合を図７に示しており、この場合には墨の開始点は実出力装置におけるＣ、Ｍ、Ｙが３７％の点となっている。この場合も墨以外の色材量は増加傾向から減少傾向に転じるが、図４に示した制御係数ＫＳ＝０の例において増加から減少に転じる場合に比べて変化量は少なく、階調性の悪化は抑えられる。また、図６に示した制御係数ＫＳ＝１の例に比べて墨の開始点が実出力装置におけるＣ、Ｍ、Ｙが小さい側に移動するので粒状性も改善される。このように制御係数ＫＳを変更することにより、粒状性を重視した色変換、あるいは階調性を重視した色変換、または粒状性と階調性をバランスさせた色変換などが行われることになる。なお、図７に示した例では（３）式を用い、α＝２０、β＝１としている。また、色材総量制限値（ＴＬ）＝１６０％、墨の上限値（Ｋｍａｘ）＝８０％としている。
【００６１】
図８は、目標出力装置のプロセスブラックの階調と墨の開始点を制御した場合の実出力装置における各色成分のカバレッジとの関係の別の例を示すグラフである。この例では制御係数ＫＳ＝１、β＝１とするとともに、α＝４０とした場合を示している。なお、色材総量制限値（ＴＬ）＝１６０％、墨の上限値（Ｋｍａｘ）＝８０％としている。図６に示した例と比較して、ＣＭＹの変化傾向がなだらかになり、それとともに墨の開始点が、明度が高い側に移動している。この例のように制御係数ＫＳとともに係数αを変更して、墨の開始点を制御してもよい。また、係数αを用いない場合に比べて、制御される墨の開始点の範囲が広がることになる。
【００６２】
なお、（３）式、（４）式のガンマ係数βを変更することにより、墨の開始点及び上限値が変わらずに、墨量が増加する傾向が制御される。このようなガンマ係数は、例えば（１）式または（２）式に対して用いてもよい。（１）式については、
ＧＴＣ（Ｋ）＝ＴＬ−ＫＳ×（Ｋｍａｘ−Ｋ）×（１−Ｋ／Ｋｍａｘ）β    …（５）
とすればよい。
【００６３】
図９は、目標出力装置のプロセスブラックの階調とガンマ係数を用いた場合の実出力装置における各色成分のカバレッジとの関係の一例を示すグラフである。この例では、色材総量制限値（ＴＬ）＝１６０％、墨の上限値（Ｋｍａｘ）＝８０％、制御係数ＫＳ＝１の場合であって、ガンマ係数β＝２とした場合を示している。図４に示したＫＳ＝０の場合よりも明るい墨の開始点から墨が使用されても、プロセスブラックの階調の増加に伴う墨量の増加は抑えられ、粒状性の悪化は軽減される。
【００６４】
図１０は、目標出力装置のプロセスブラックの階調と各係数を変更した場合の実出力装置における墨量の関係の一例を示すグラフである。ここまでに示した例における墨量の変化をまとめると図１０に示すようになる。点線は図４に示した制御係数ＫＳ＝０の場合を、破線は図６に示した制御係数ＫＳ＝１の場合を、一点鎖線は図７に示した制御係数ＫＳ＝０．５の場合をそれぞれ示し、これらについてはガンマ係数β＝１である。また実線は図９に示した制御係数ＫＳ＝１、ガンマ係数β＝２の場合を示している。なお、ここでは色材総量制限値（ＴＬ）＝１６０％、墨の上限値（Ｋｍａｘ）＝８０％としている。このように、制御係数ＫＳを変化させることによって、墨の開始点が制御される。さらに上述の係数αを変化させても墨の開始点が制御される。また、ガンマ係数βによって墨量の増加傾向（線形度合い）が制御される。
【００６５】
上述の例では、墨量が上限値（Ｋｍａｘ）となる場合に色材総量制限値（ＴＬ）となるように適正総量制限値（ＧＴＣ）を設定している。これに限らず、墨量が上限値（Ｋｍａｘ）となる場合の適正総量制限値（ＧＴＣ）が色材総量制限値（ＴＬ）よりも小さい制限値になるように設定し、その制限値を超えないように各墨量における適正総量制限値（ＧＴＣ）を設定してもよい。上述の例のように色材総量制限値（ＴＬ）が１６０％程度では、この設定されている色材総量制限値によって光沢感は抑えられるが、例えば色材総量制限値を２４０％などのように多量の色材を使用する設定の場合には光沢感が生じることがある。このような場合には、色材総量制限値（ＴＬ）より小さい制限値を設けて色材量を制限することにより光沢感の発生が抑制される。例えば他の色に比べて色材量が多くなる無彩色において制限値を設定すれば、無彩色での光沢感の発生が抑えられる。もちろん他の色についても、制限値を設定した色領域での光沢感の発生が抑えられる。
【００６６】
次に、上述のようにして設定した無彩色基準線上の適正総量制限値（ＧＴＣ）を基準として、対応する墨量に限定した場合の色域の外郭に近づくにしたがって適正総量制限値が色材総量制限値（ＴＬ）に近づくように、無彩色基準線以外の適正総量制限値（ＴＣ）を算出する。この無彩色基準線以外の適正総量制限値（ＴＣ）の算出は、墨量（Ｋ）ごとに行う。
【００６７】
例えば、以下の式を用いて算出する。
ＴＣ（Ｃ，Ｍ，Ｙ，Ｋ）＝（ＧＴＣ（Ｋ）−ＴＬ）×（１−Ｃｈ（Ｃ，Ｍ，Ｙ））γ＋ＴＬ    …（６）
ここで、Ｃｈ（Ｃ，Ｍ，Ｙ）は適正総量制限値の算出の対象となる装置独立色空間上の色信号に相当する実出力装置の色信号Ｃ，Ｍ，Ｙから決定される彩度を表す指標である。Ｃ＝Ｍ＝Ｙの場合にＣｈ（Ｃ，Ｍ，Ｙ）＝０となり、ＣまたはＭまたはＹが０％または１００％または各色材の単色制限値の場合に１となる。また、γは彩度指標の変化に対してどのように適正色材総量制限値をＧＴＣ（Ｋ）からＳＬまで変化させるかを指定するためのガンマ係数であり、予め設定しておく。
【００６８】
さらに適正仮想面色信号群作成部２１は、算出した墨量ごとの適正総量制限値（ＴＣ）を満たす、それぞれの墨量に対応する下側外郭面を構成する装置依存の色空間の色信号である下側外郭面色信号を複数作成する。この下側外郭面色信号を作成するための方法として、ここでは、一旦、実出力装置における色材総量制限値（ＴＬ）を満たす墨量ごとの下側外郭面上のＣＭＹＫ色信号群を算出し、この算出されたＣＭＹＫ色信号のそれぞれに対して前述した適正総量制限値（ＴＣ）を満たすＣＭＹＫ色信号に修正して、下側外郭面色信号を作成する例を示す。もちろんこの方法に限られるものではない。
【００６９】
まず、実出力装置の色材総量制限値（ＴＬ）を満たす墨量ごとの下側外郭面は、Ｃ，Ｍ，Ｙのいずれかが１００％または各色材の単色制限値であるか、もしくは無彩色基準線の色材総量制限値（ＴＬ）となるＣＭＹＫ色信号から構成される。ある墨量（Ｋ）においては、色材総量制限値（ＴＬ）から墨量（Ｋ）を差し引いたＣＭＹ総量値以内で、前述の条件を満たすＣ，Ｍ，Ｙを作成し、ＣＭＹと墨量（Ｋ）とから、ある墨量（Ｋ）における色材総量制限値（ＴＬ）を満たす下側外郭面のＣＭＹＫ色信号とすればよい。このような下側外郭面のＣＭＹＫ色信号を、墨量（Ｋ）を変えて取得する。例えば、１０％刻みなどの予め設定されている刻みで墨量を変え、下側外郭面のＣＭＹＫ色信号を求めればよい。
【００７０】
次に、作成した色材総量制限値（ＴＬ）を満たすＣＭＹＫ色信号に対して、前述した適正総量制限値（ＴＣ）を算出し、総量値がこの適正総量制限値（ＴＣ）となるように、元になるＣＭＹＫ色信号を修正する。例えば、元のＣ，Ｍ，Ｙ色成分の比を保存して、Ｋは変えずにＣ，Ｍ，Ｙ，Ｋの総和が適正総量制限値（ＴＣ）となるようにＣＭＹＫ色信号を修正する。あるいは、Ｃ，Ｍ，Ｙ色成分の比ではなく、元のＣ，Ｍ，Ｙ色成分のうち正の値を持つ色成分から等量ずつ差し引くことによりＣ，Ｍ，Ｙ，Ｋの総和が適正総量制限値（ＴＣ）と等しくなるようにＣＭＹＫ色信号を修正してもよい。修正して得られたＣＭＹＫ色信号を下側外郭面色信号とする。
【００７１】
墨量算出モデル作成部２２では、適正仮想面色信号群作成部２１で作成した下側外郭面を構成する色信号である下側外郭面色信号の群について、それぞれ、装置独立色空間の色信号である独立色信号に変換する。そして、変換した独立色信号と、その独立色信号に対応する下側外郭面色信号の墨量（Ｋ）とから、装置独立色空間の色信号に対応する適正墨量を算出するためのモデルを作成する。モデルの作成方法は、例えば、特開２００５−６４７７４号公報に記載されている方法を使用し、適正仮想面色信号群作成部２１で作成した下側外郭面色信号の群を対象としてモデルを作成すればよい。もちろんこの方法に限定されるものではなく、離散的に分布する独立色信号と対応する墨量とから、変換対象独立色信号を与えると適正墨量を算出する方法であれば、他の方法を用いてもよい。
【００７２】
このようにして、与えられた装置独立色空間の色信号から適正墨量を算出するためのモデルを予め作成し、適正墨量算出部２３に渡しておく。なお、モデルを作成する際には適正墨量算出部２３を設けておく必要はなく、また、モデルを作成して適正墨量算出部２３で適正墨量を算出する際には適正仮想面色信号群作成部２１及び墨量算出モデル作成部２２を設けておかなくてもよい。
【００７３】
目標出力装置で出力するための目標装置色信号が与えられると、順変換部１１で目標装置色信号（ＣＭＹＫ色信号）から装置独立色空間の色信号（Ｌ* ａ* ｂ* 色信号）に変換する。変換された装置独立色空間の色信号（Ｌ* ａ* ｂ* 色信号）について、色再現域写像部１２で実出力装置の色再現域の色信号（Ｌ*'ａ*'ｂ*'色信号）に写像した後、写像後の色信号（Ｌ*'ａ*'ｂ*'色信号）が変換対象独立色信号として適正墨量決定部１３に渡される。
【００７４】
適正墨量決定部１３の適正墨量算出部２３では、上述のようにして墨量算出モデル作成部２２で作成した適正墨量を算出するためのモデルを使用し、与えられた変換対象独立色信号（Ｌ*'ａ*'ｂ*'色信号）から適正墨量（Ｋｏｐｔ）を算出する。この適正墨量（Ｋｏｐｔ）が適正墨量決定部１３の出力となり、最適墨量算出部１４に渡される。
【００７５】
最適墨量算出部１４では、適正墨量決定部１３から渡された適正墨量（Ｋｏｐｔ）と、目標装置色信号（ＣＭＹＫ色信号）のうちの墨量（Ｋ）から、最適墨量（Ｋ’）を算出する。算出方法は既に述べたとおりである。
【００７６】
逆変換部１５では、最適墨量算出部１４で算出した最適墨量（Ｋ’）と色再現域写像部１２で写像された後の変換対象独立色信号（Ｌ*'ａ*'ｂ*'色信号）から、墨以外の色成分、ここではＣ、Ｍ、Ｙについて算出する。一般にＬＡＢ色空間からＣＭＹＫ色空間への変換は次元が増加する変換のため一意には決まらないが、最適墨量（Ｋ’）を固定することによってＣＭＹは一意に決まる。この変換は実出力装置における色変換モデルを使用すればよい。算出されたＣ、Ｍ、Ｙの色成分（Ｃ’、Ｍ’、Ｙ’）と、最適墨量算出部１４で算出した最適墨量（Ｋ’）とにより出力色信号（Ｃ’Ｍ’Ｙ’Ｋ’）とすればよい。
【００７７】
このようにして、目標出力装置における墨を含む目標装置色信号が、実出力装置における墨を含む出力色信号へ変換される。その際に、制御係数ＫＳあるいはさらに係数αやガンマ係数βを設定し、これらの設定値及び実出力装置に設定されている色材総量制限値（ＴＬ）をもとに、実出力装置における墨量ごとに適正総量制限値を算出し、適正総量制限値をもとに目標出力装置の変換対象独立色信号から適正墨量を算出し、適正墨量と目標装置色信号の墨量から出力色信号の墨量である最適墨量を算出している。これにより、粒状性と階調性の重要性に応じた色再現が行われる。
【００７８】
なお、上述の構成を用いて、直接、目標装置色信号から出力色信号に色変換してもよいし、多次元表の入力値（格子点）に相当するＣＭＹＫ色信号を上述の構成を用いて色変換して得られたＣＭＹＫ値を出力値として対応付けることにより、色変換を実現する多次元表を作成し、その多次元表を用いてＣＭＹＫ画像の色変換を行うように構成してもよい。
【００７９】
図１１は、本発明の実施の一形態で説明した機能をコンピュータプログラムで実現した場合におけるコンピュータプログラム及びそのコンピュータプログラムを格納した記憶媒体とコンピュータの一例の説明図である。図中、３１はプログラム、３２はコンピュータ、４１は光磁気ディスク、４２は光ディスク、４３は磁気ディスク、４４はメモリ、５１はＣＰＵ、５２は内部メモリ、５３は読取部、５４はハードディスク、５５はインタフェース、５６は通信部である。
【００８０】
上述の本発明の実施の一形態で説明した各部の機能の全部または部分的に、コンピュータにより実行可能なプログラム３１によって実現してもよい。その場合、そのプログラム３１およびそのプログラムが用いるデータなどは、コンピュータによって読み取られる記憶媒体に記憶させておけばよい。記憶媒体とは、コンピュータのハードウェア資源に備えられている読取部５３に対して、プログラムの記述内容に応じて、磁気、光、電気等のエネルギーの変化状態を引き起こして、それに対応する信号の形式で、読取部５３にプログラムの記述内容を伝達するものである。例えば、光磁気ディスク４１，光ディスク４２（ＣＤやＤＶＤなどを含む）、磁気ディスク４３，メモリ４４（ＩＣカード、メモリカードなどを含む）等である。もちろんこれらの記憶媒体は、可搬型に限られるものではない。
【００８１】
これらの記憶媒体にプログラム３１を格納しておき、例えばコンピュータ３２の読取部５３あるいはインタフェース５５にこれらの記憶媒体を装着することによって、コンピュータからプログラム３１を読み出し、内部メモリ５２またはハードディスク５４に記憶し、ＣＰＵ５１によってプログラム３１を実行することによって、上述の本発明の実施の一形態で説明した機能が全部又は部分的に実現される。あるいは、通信路を介してプログラム３１をコンピュータ３２に転送し、コンピュータ３２では通信部５６でプログラム３１を受信して内部メモリ５２またはハードディスク５４に記憶し、ＣＰＵ５１によってプログラム３１を実行することによって実現してもよい。
【００８２】
コンピュータ３２には、このほかインタフェース５５を介して様々な装置と接続してもよい。例えば情報を表示する表示手段や利用者からの情報を受け付ける受付手段等も接続されていてもよい。例えば係数設定部１６は受付手段から利用者による制限値の設定を受けるように構成してもよい。また、例えば出力装置としての画像形成装置がインタフェース５５を介して接続され、変換された出力色信号を使用して画像形成装置で画像を形成するように構成してもよい。この場合、接続されている画像形成装置が実出力装置となる。
【００８３】
なお、各構成が１台のコンピュータにおいて動作する必要はなく、処理段階に応じて別のコンピュータにより処理が実行されてもよい。例えば適正墨量を算出するためのモデルを作成するまでの処理と、そのモデルを用いた色変換を含む目標装置色信号から出力色信号への色変換を行う処理などを、それぞれ別のコンピュータで行ってもよい。
【符号の説明】
【００８４】
１１…順変換部、１２…色再現域写像部、１３…適正墨量決定部、１４…最適墨量算出部、１５…逆変換部、１６…係数設定部、２１…適正仮想面色信号群作成部、２２…墨量算出モデル作成部、２３…適正墨量算出部、３１…プログラム、３２…コンピュータ、４１…光磁気ディスク、４２…光ディスク、４３…磁気ディスク、４４…メモリ、５１…ＣＰＵ、５２…内部メモリ、５３…読取部、５４…ハードディスク、５５…インタフェース、５６…通信部。
【図１】
2010263370.tif 000003
【図２】
2010263370.tif 000004
【図３】
2010263370.tif 000005
【図４】
2010263370.tif 000006
【図５】
2010263370.tif 000007
【図６】
2010263370.tif 000008
【図７】
2010263370.tif 000009
【図８】
2010263370.tif 000010
【図９】
2010263370.tif 000011
【図１０】
2010263370.tif 000012
【図１１】
2010263370.tif 000013